(57)【要約】【課題】ＴＤＤセルが含まれる複数セル間でＣＡを行う場合に、スループットを向上すること。【解決手段】ユーザ端末は、プライマリセル及びセカンダリセルと無線通信を行うユーザ端末であって、ＴＤＤセルと接続する場合に、複数のＤＬ／ＵＬ構成の中から選択された所定のＤＬ／ＵＬ構成に関する設定情報を受信する受信部と、受信したＤＬ／ＵＬ構成に基づいてＴＤＤセルとの送受信を制御する制御部と、を有し、前記セカンダリセルにおいて、ＤＬ／ＵＬ構成に関する設定情報が適用される全ての期間でＤＬ伝送が適用される場合、前記制御部は、前記セカンダリセルの各ＤＬサブフレームに対するＡＣＫ／ＮＡＣＫを、前記プライマリセルの所定のＵＬサブフレームを用いてフィードバックする。【選択図】図３
2019068460.tif 000002
【特許請求の範囲】
【請求項１】
プライマリセル及びセカンダリセルと無線通信を行うユーザ端末であって、
ＴＤＤセルと接続する場合に、複数のＤＬ／ＵＬ構成の中から選択された所定のＤＬ／ＵＬ構成に関する設定情報を受信する受信部と、
受信したＤＬ／ＵＬ構成に基づいてＴＤＤセルとの送受信を制御する制御部と、を有し、
前記セカンダリセルにおいて、ＤＬ／ＵＬ構成に関する設定情報が適用される全ての期間でＤＬ伝送が適用される場合、前記制御部は、前記セカンダリセルの各ＤＬサブフレームに対するＡＣＫ／ＮＡＣＫを、前記プライマリセルの所定のＵＬサブフレームを用いてフィードバックすることを特徴とするユーザ端末。
【発明の詳細な説明】
【技術分野】
【０００１】
本発明は、次世代の通信システムに適用可能なユーザ端末に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている（Ｒｅｌ．１０／１１）。
【０００３】
ＬＴＥ、ＬＴＥ−Ａシステムの無線通信における複信形式（Ｄｕｐｌｅｘ−ｍｏｄｅ）として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とがある（図１Ａ参照）。ＴＤＤの場合、上りリンクと下りリンクの通信に同じ周波数領域が適用され、一つの送受信ポイントから上りリンクと下りリンクが時間で分けられて信号の送受信が行われる。
【０００４】
また、ＬＴＥシステムのＴＤＤにおいては、上りサブフレーム（ＵＬサブフレーム）と下りサブフレーム（ＤＬサブフレーム）間の送信比率が異なる複数のフレーム構成（DL/UL  configuration（ＤＬ／ＵＬ構成））が規定されている。具体的には、図２に示すように、ＤＬ／ＵＬ構成０〜６の７つのフレーム構成が規定されており、サブフレーム＃０と＃５は下りリンクに割当てられ、サブフレーム＃２は上りリンクに割当てられる。
【０００５】
また、ＬＴＥ−Ａシステム（Ｒｅｌ．１０／１１）のシステム帯域は、ＬＴＥシステムのシステム帯域を一単位とする少なくとも１つのコンポーネントキャリア（ＣＣ：Component  Carrier）を含んでいる。複数のコンポーネントキャリア（セル）を集めて広帯域化することをキャリアアグリゲーション（ＣＡ：Carrier  Aggregation）という。
【先行技術文献】
【非特許文献】
【０００６】
【非特許文献１】3GPP  TS  36.300“Evolved  UTRA  and  Evolved  UTRAN  Overall  description”
【発明の概要】
【発明が解決しようとする課題】
【０００７】
一般に、ＤＬのトラヒックとＵＬのトラヒックは非対称である。また、ＤＬのトラヒックとＵＬのトラヒックの比率は一定ではなく、時間的に、あるいは、場所的に変動する。Ｒｅｌ．１０で導入されたキャリアアグリゲーション（ＣＡ）を適用する場合、ＴＤＤでは、複数のＣＣ（セル、送受信ポイントともいう）間の干渉を回避するため、地理的に隣接する送信ポイント間は、ある１つの周波数キャリアにおいて同じＤＬ／ＵＬ構成に限られていた。Ｒｅｌ．１１では、トラヒックに応じてＤＬ／ＵＬ構成の切り替えを柔軟に行うことができるように、異なるセル間で異なるＤＬ／ＵＬ構成を適用するＣＡ（ＴＤＤ  ｉｎｔｅｒ−ｂａｎｄ  ＣＡ）がサポートされた。
【０００８】
また、Ｒｅｌ．１０／１１におけるキャリアアグリゲーション（ＣＡ）では、複数のＣＣ間で適用されるＤｕｐｌｅｘ−ｍｏｄｅは、同一のＤｕｐｌｅｘ−ｍｏｄｅに限られている（図１Ｂ参照）。一方で、将来の無線通信システム（例えば、Ｒｅｌ．１２以降）では、複数ＣＣ間で異なるＤｕｐｌｅｘ−ｍｏｄｅ（ＴＤＤ＋ＦＤＤ）を適用したＣＡも想定される（図１Ｃ参照）。
【０００９】
このように、無線通信システムの利用形態の拡張に伴い、トラヒック等を考慮してＵＬ伝送とＤＬ伝送を柔軟に制御することがより一層望まれる。しかし、既存のメカニズム（例えば、ＴＤＤにおける既存のＤＬ／ＵＬ構成）を利用する場合には、スループット向上を十分に行うことができないおそれがある。
【００１０】
本発明はかかる点に鑑みてなされたものであり、ＴＤＤセルが少なくとも含まれる複数セル間でＣＡを行う場合に、スループットを向上することができるユーザ端末を提供することを目的の一とする。
【課題を解決するための手段】
【００１１】
本発明のユーザ端末は、プライマリセル及びセカンダリセルと無線通信を行うユーザ端末であって、ＴＤＤセルと接続する場合に、複数のＤＬ／ＵＬ構成の中から選択された所定のＤＬ／ＵＬ構成に関する設定情報を受信する受信部と、受信したＤＬ／ＵＬ構成に基づいてＴＤＤセルとの送受信を制御する制御部と、を有し、前記セカンダリセルにおいて、ＤＬ／ＵＬ構成に関する設定情報が適用される全ての期間でＤＬ伝送が適用される場合、前記制御部は、前記セカンダリセルの各ＤＬサブフレームに対するＡＣＫ／ＮＡＣＫを、前記プライマリセルの所定のＵＬサブフレームを用いてフィードバックすることを特徴とする。
【発明の効果】
【００１２】
本発明によれば、ＴＤＤセルが含まれる複数セル間でＣＡを行う場合に、スループットを向上することができる。
【図面の簡単な説明】
【００１３】
【図１】ＬＴＥ、ＬＴＥ−ＡにおけるＤｕｐｌｅｘ−ｍｏｄｅと、基地局内ＣＡ（Ｉｎｔｒａ−ｅＮＢ  ＣＡ）の概要を説明するための図である。
【図２】既存システムのＴＤＤセルで利用するＤＬ／ＵＬ構成を示す図である。
【図３】本実施の形態におけるＴＤＤセルで利用するＤＬ／ＵＬ構成の一例を示す図である。
【図４】本実施の形態におけるＴＤＤセル（ＳＣｅｌｌ）がＤＬ／ＵＬ構成７を利用する場合のシステム構成の一例を示す図である。
【図５】本実施の形態におけるＴＤＤセルで利用するＤＬ／ＵＬ構成の他の一例を示す図である。
【図６】本実施の形態におけるＴＤＤセル（ＳＣｅｌｌ）がＤＬ／ＵＬ構成７を利用する場合のＡ／Ｎフィードバックの一例を示す図である。
【図７】本実施の形態におけるＴＤＤセル（ＳＣｅｌｌ）がＤＬ／ＵＬ構成７を利用する場合のＡ／Ｎフィードバックの他の一例を示す図である。
【図８】本実施の形態に係る無線通信システムの一例を示す概略図である。
【図９】本実施の形態に係る無線基地局の全体構成の説明図である。
【図１０】本実施の形態に係る無線基地局の機能構成の説明図である。
【図１１】本実施の形態に係るユーザ端末の全体構成の説明図である。
【図１２】本実施の形態に係るユーザ端末の機能構成の説明図である。
【図１３】本実施の形態に係るＤＬ／ＵＬ構成７を適用する場合のＰＤＣＣＨに利用するＯＦＤＭシンボル数の一例を示す図である。
【発明を実施するための形態】
【００１４】
上述したように、ＬＴＥ、ＬＴＥ−Ａシステムでは、Ｄｕｐｌｅｘ  ｍｏｄｅとしてＦＤＤとＴＤＤの２つが規定されており（上記図１Ａ参照）、ＴＤＤでは上記図２に示したＤＬ／ＵＬ構成０〜６から選択された所定のＤＬ／ＵＬ構成を利用して無線基地局−ユーザ端末間で通信を行う。このように、ＴＤＤでは、ＤＬ／ＵＬ構成毎にＤＬサブフレームとＵＬサブフレームの送信比率が異なっており、各構成に対して送達確認信号（Ａ／Ｎ）のフィードバックメカニズム（ＨＡＲＱメカニズム）等が規定されている。
【００１５】
また、Ｒｅｌ．１２以降のシステムでは、複数ＣＣ間で異なるＤｕｐｌｅｘ−ｍｏｄｅ（ＴＤＤ＋ＦＤＤ）を適用したＣＡが想定されている（上記図１Ｃ参照）。この場合、ＴＤＤでは、ＬＴＥ１０と同様にＤＬ／ＵＬ構成０〜６を適用することが検討されている。しかし、ＴＤＤを適用するセル（以下、「ＴＤＤセル」とも記す）を含む複数のセル間でＣＡを適用する場合、既存のＤＬ／ＵＬ構成では、スループットを最適化することが困難となるおそれがある。
【００１６】
例えば、ＤＬトラヒックがＵＬトラヒックより大きい場合を想定する。この場合、ＣＡを適用する複数のセルの中から所定のセルを選択してＤＬ伝送用として利用することが考えられる。一例として、２ＣＣのＣＡにおいて、一方のＣＣをＤＬ伝送に特化して利用することが考えられる。
【００１７】
この場合、選択されたセルがＦＤＤを適用するセル（以下、「ＦＤＤセル」とも記す）であれば、各サブフレームでＤＬ伝送が可能となる。一方で、選択されたセルがＴＤＤセルである場合には、ＤＬサブフレームの構成比率が最も高いＤＬ／ＵＬ構成（図２のＤＬ／ＵＬ構成５）を適用することが考えられる。
【００１８】
しかし、ＤＬサブフレームの構成比率が最も高いＤＬ／ＵＬ構成５を適用する場合であっても、ＵＬサブフレームと特殊サブフレームが含まれている（ＳＦ＃１、ＳＦ＃２）。このため、ＴＤＤセルをＤＬ伝送に特化して利用する場合には、ＤＬデータの伝送に利用できないサブフレームが発生してしまう。その結果、スループットの向上を十分に達成することができない。
【００１９】
このように、本発明者等は、ＴＤＤセルを含む複数のセルを用いてＣＡを行う場合に、既存のＤＬ／ＵＬ構成では、スループットの最適化が図れないことに着目し、新規のＤＬ／ＵＬ構成を利用することを着想した。具体的には、ＴＤＤセルにおいて、ＤＬ伝送用のＤＬ／ＵＬ構成（例えば、ＤＬ／ＵＬ構成７）を新たに追加して定義し、当該ＴＤＤセルがセカンダリセル（ＳＣｅｌｌ）である場合（プライマリセル（ＰＣｅｌｌ）でない場合）に限って当該ＤＬ／ＵＬ構成７を利用することを着想した。
【００２０】
さらに、本発明者等は、ＴＤＤセルにおいてＤＬ伝送用のＤＬ／ＵＬ構成（例えば、ＤＬ／ＵＬ構成７）を利用する場合に、新たにＡ／Ｎフィードバックメカニズム（ＨＡＲＱメカニズム）が必要となることに着目した。具体的には、ＤＬ／ＵＬ構成７を利用するＴＤＤセルをＦＤＤセルとみなして、Ａ／Ｎフィードバックを制御することを着想した。
【００２１】
以下に、本実施の形態にかかる具体的な無線通信方法について図面を参照して詳細に説明する。なお、以下の説明では、２つのセル（２ＣＣ）でＣＡを行う場合を例に挙げて説明するが、本実施の形態で可能なＣＡの適用セル数はこれに限られない。また、本実施の形態では、ＣＡを適用するセルに少なくとも一つのＴＤＤセルが含まれていればよく、複数セルにスケジューラが共通して設けられた基地局内ＣＡ（Ｉｎｔｒａ−ｅＮＢ  ＣＡ）、及び複数セル毎にスケジューラが独立して設けられた基地局間ＣＡ（Ｉｎｔｅｒ−ｅＮＢ  ＣＡ）に適用することができる。
【００２２】
（第１の態様）
第１の態様では、ＴＤＤセル（ＴＤＤ  ＣＣ）を含むＣＡにおいて、ＤＬ伝送用のＤＬ／ＵＬ構成を新たに追加して通信を行う場合について説明する。
【００２３】
本実施の形態では、ＴＤＤで利用する既存のＤＬ／ＵＬ構成０〜６に加えて、新たに全てのサブフレームでＤＬ伝送が可能となるＤＬ伝送用のＤＬ／ＵＬ構成を追加する。例えば、ＤＬ伝送用のＤＬ／ＵＬ構成を、ＤＬ／ＵＬ構成７として追加する（図３参照）。そのため、新たに追加するＤＬ伝送用のＤＬ／ＵＬ構成（以下、「ＤＬ／ＵＬ構成７」とも記す）も、ＤＬ／ＵＬ構成０〜６と同様にＴＤＤバンドにおいて設定されるものとする。
【００２４】
全てのサブフレームでＤＬ伝送が可能となるＤＬ伝送用のＤＬ／ＵＬ構成としては、図３に示すように全てのサブフレームをＤＬサブフレームとする構成を適用することができる。全てのサブフレームをＤＬサブフレームとする場合には、ＤＬ伝送の周波数利用効率をより向上することが可能となる。また、ＤＬ伝送用のＤＬ／ＵＬ構成７を、ＴＤＤセルに設定可能なＤＬ／ＵＬ構成の一つとして規定することにより、端末への実装や周波数割当ての影響が小さいため、容易に導入することが可能となる。一方で、ＴＤＤバンドにおいてＤＬ／ＵＬ構成７を適用した場合、ＴＤＤ特有のＵＬ−ＤＬ干渉が発生しないため、ネットワーク（ＮＷ）の同期や装置間（ユーザ端末−基地局間）協調を不要とすることができる。
【００２５】
また、新たに追加されるＤＬ／ＵＬ構成７は、ＴＤＤセルがプライマリセル（ＰＣｅｌｌ）でなく、セカンダリセル（ＳＣｅｌｌ）に設定される場合に限って利用することができる。これは、プライマルセルとなるＴＤＤセルでは、ユーザ端末からのＵＬ伝送（Ａ／Ｎ、ＣＱＩ等）の受信が必要となるからである。
【００２６】
ここで、プライマリセル（ＰＣｅｌｌ）とは、ＣＡを行う場合にＲＲＣ接続やハンドオーバを管理するセルであり、端末からのデータやフィードバック信号を受信するためにＵＬ伝送も必要となるセルである。ＣＡを行う場合、プライマリセルは上下リンクともに常に設定される。セカンダリセル（ＳＣｅｌｌ）とは、ＣＡを適用する際にプライマリセルに加えて設定する他のセルである。セカンダリセルは下りリンクだけ設定することもできるし、上下リンクを同時に設定することもできる。
【００２７】
また、セカンダリセルとなるＴＤＤセルにおけるＤＬ／ＵＬ構成７の適用は、トラヒック等に応じて無線基地局（又は、上位局等）が適宜設定することができる。例えば、ＴＤＤセルがセカンダリセルに設定され、ユーザ端末に対するＤＬデータ量が大きい場合に、無線基地局は複数のＤＬ／ＵＬ構成０〜７の中から、ＤＬ／ＵＬ構成７を選択し、各ユーザ端末に利用するＤＬ／ＵＬ構成に関する情報を通知する。ＤＬ／ＵＬ構成に関する情報は、上位レイヤシグナリング（報知信号、ＲＲＣシグナリング等）で通知することができる。上位レイヤのシグナリングとしては、例えばシステム情報ブロック１（Ｓｙｓｔｅｍ  Ｉｎｆｏｒｍａｔｉｏｎ  Ｂｌｏｃｋ  １）や無線リソース設定共通情報要素（ＲＲＣ  ｃｏｍｍｏｎ  ｉｎｆｏｒｍａｔｉｏｎ  ｅｌｅｍｅｎｔ）などが考えられる。あるいは端末個別の無線リソース設定シグナリングであっても良い。
【００２８】
一方、ＴＤＤセルをＤＬ／ＵＬ構成７として準静的に運用しておき、トラフィック等に応じて無線基地局（又は、上位局等）が適宜ユーザ端末にＣＡを設定してもよい。例えば、ＦＤＤセルまたはＤＬ／ＵＬ構成０〜６のＴＤＤセルでセルラネットワークを構築しておき、トラフィックの大きな場所でＤＬ／ＵＬ構成７のＴＤＤセルを追加で設置し、無線基地局は、ＣＡ可能なユーザ端末に対してＤＬ／ＵＬ構成７のＴＤＤセルをセカンダリセルとして設定する。なお、このときＣＡするユーザ端末には、ＦＤＤセルまたはＤＬ／ＵＬ構成０〜６のＴＤＤセルをプライマリセルとして設定する。これにより、ＣＡが設定されたユーザ端末のＤＬデータをセカンダリセルにオフロードすることができる。ＣＡの設定やプライマリセル・セカンダリセルの設定は、上位レイヤシグナリング（報知信号、ＲＲＣシグナリング等）で通知することができる。上位レイヤのシグナリングとしては、例えばシステム情報ブロック１（Ｓｙｓｔｅｍ  Ｉｎｆｏｒｍａｔｉｏｎ  Ｂｌｏｃｋ  １）や無線リソース設定共通情報要素（ＲＲＣ  ｃｏｍｍｏｎ  ｉｎｆｏｒｍａｔｉｏｎ  ｅｌｅｍｅｎｔ）などが考えられる。あるいは端末個別の無線リソース設定シグナリングであっても良い。
【００２９】
なお、本実施の形態では、プライマリセルが、ＴＤＤセル又はＦＤＤセルのいずれの場合であってもよく、セカンダリセルがＴＤＤセルとなる場合には当該ＴＤＤセルでＤＬ／ＵＬ構成７を設定可能である。また、同一又は異なるＤＬ／ＵＬ構成のＴＤＤセルや、ＦＤＤセルがさらにＳＣｅｌｌとして設定され、３ＣＣ以上のＣＡで行う場合も適用することができる。
【００３０】
図４に、ＤＬ／ＵＬ構成７のＴＤＤセルをセカンダリセルとして含むＣＡの一例を示す。図４Ａは、複数ＣＣ（セル）間でＤｕｐｌｅｘ−ｍｏｄｅを適用してＣＡを行う場合（ＴＤＤ  ｉｎｔｅｒ−ｂａｎｄ  ＣＡ）を示している。プライマリセルをＤＬ／ＵＬ構成０〜６のＴＤＤセル、セカンダリセルをＤＬ／ＵＬ構成７のＴＤＤセルとしている。図４Ｂは、複数ＣＣ（セル）間で異なるＤｕｐｌｅｘ−ｍｏｄｅを適用してＣＡを行う場合（ＴＤＤ−ＦＤＤ  ＣＡ）を示している。プライマリセルをＦＤＤセル、セカンダリセルをＤＬ／ＵＬ構成７のＴＤＤセルとしている。
【００３１】
図４Ａでは、プライマリセルとなる第１のＴＤＤセルでは、既存のＤＬ／ＵＬ構成０〜６の中から所定のＤＬ／ＵＬ構成を選択して適用する。一方で、セカンダリセルとなる第２のＴＤＤセルでは、既存のＤＬ／ＵＬ構成０〜６に加えてＤＬ／ＵＬ構成７の中から所定のＤＬ／ＵＬ構成を選択して適用する。例えば、第２のＴＤＤセルをＤＬ伝送用に特化して利用する場合には、第２のＴＤＤセルに対してＤＬ／ＵＬ構成７を設定する。
【００３２】
図４Ｂでは、プライマリセルとなるＦＤＤセルでは、各サブフレームにおいてＵＬ伝送とＤＬ伝送を行う。一方で、セカンダリセルとなるＴＤＤセルでは、既存のＤＬ／ＵＬ構成０〜６＋ＤＬ／ＵＬ構成７の中から所定のＤＬ／ＵＬ構成を選択して適用する。例えば、ＴＤＤセルをＤＬ伝送用に特化して利用する場合には、ＴＤＤセルに対してＤＬ／ＵＬ構成７を設定する。
【００３３】
このように、セカンダリセルとなるＴＤＤセルにおいてＤＬ伝送用のＤＬ／ＵＬ構成７を新たに定義して利用することにより、プライマリセルに設定されるＤｕｐｌｅｘ  ｍｏｄｅに関わらず、ＤＬ伝送のスループットを向上することが可能となる。
【００３４】
なお、上記図３では、全てのサブフレーム（ＳＦ＃０〜＃９）をＤＬサブフレームとする場合を示したが、本実施の形態はこれに限られない。ＤＬ／ＵＬ構成７として、いずれかのサブフレームに特殊サブフレームを設けた構成としてもよい。例えば、図５に示すように、所定のサブフレーム（ここでは、１個のＳＦ＃１）に特殊サブフレームを設定してもよい。この場合、セカンダリセルとなるＴＤＤセルにおいて、当該１つの特殊サブフレームを用いることにより、ＤＬ伝送に加えて、ＳＲＳ（サウンディングリファレンス信号）やＰＲＡＣＨ信号（ランダムアクセス信号）を送信することができる。
【００３５】
当該特殊サブフレームにおいてＳＲＳやＰＲＡＣＨの送信を可能とすることにより、伝搬路の対称性を利用してプリコーディングや適応変調等のＤＬ適応送信が可能となる。ＴＤＤセルでは、同一の周波数リソースを用い、上下リンクで時間的に切り替えて通信を行う。したがって端末・基地局、周辺環境の移動が緩やかである場合、伝搬路の変動も緩やかであることから、伝搬路の対称性を利用した送信が可能となる。例えばユーザ端末が送信するＳＲＳを元に無線基地局で伝搬路状態を推定し、推定した伝搬路状態に適応した送信プリコーディングを行うことなどが想定される。
【００３６】
また、特殊サブフレームでは、ＳＲＳやＰＲＡＣＨだけでなくＤＬ／ＵＬ構成７が設定されたＴＤＤセルのフィードバック情報を送信としても良い。フィードバック情報としては、ユーザ端末の受信品質を表すＣＳＩ（Ｃｈａｎｎｅｌ  Ｓｔａｔｅ  Ｉｎｆｏｒｍａｔｉｏｎ）、当該ＴＤＤセルのＤＬ信号に対する送達確認信号などが考えられる。このようにすることで最小限のＵＬ信号を送信可能となるため、当該ＴＤＤセルのみでプライマリセルのＵＬリソースを用いることなく、ＨＡＲＱや適用変調に必要な情報を無線基地局側で得ることが可能となる。この結果、ＤＬ／ＵＬ構成７のＴＤＤセルをセカンダリセルに設定することによりプライマリセルのＵＬリソースがひっ迫される状況を改善できる。
【００３７】
フィードバック情報は、特殊サブフレームのＵＬリソース（ＵｐＰＴＳ）で送信されるＳＲＳやＰＲＡＣＨの系列やリソースに結び付けられて伝達されてもよいし、新たな特殊サブフレーム形式を定義し、ＵｐＰＴＳによりＰＵＳＣＨやＰＵＣＣＨとして送信されても良い。また、特殊サブフレームによるフィードバックは、ＤＬ／ＵＬ構成７が設定された場合は必ず適用するものであっても良いし、報知情報やＲＲＣシグナリングによりＤＬ／ＵＬ構成７とは独立に設定される（すなわち、ＤＬ／ＵＬ構成７で通信するユーザ端末ごとに特殊サブフレームによるフィードバックを設定できる）ものであっても良い。独立に設定できる場合、端末ごとにプライマリセルとＤＬ／ＵＬ構成７のセカンダリセル、いずれでフィードバックを行うかを無線基地局またはネットワークが制御できるため、端末の状態や数、トラフィック、セルの配置などに応じて柔軟にフィードバックの形式を設定することができる。
【００３８】
なお、セカンダリセルとなるＴＤＤセルにおいて、ＳＲＳやＰＲＡＣＨ信号の送信が必要ない場合には、ＤＬ伝送の周波数利用効率の向上や、ネットワーク（ＮＷ）同期及び装置間協調を不要とできる観点から、上記図３に示す構成を利用することが望ましい。
【００３９】
このように、ＴＤＤセルを含む複数のセルを用いてＣＡを行う場合に、セカンダリセルとなるＴＤＤセルにおいて、ＤＬ伝送用のＤＬ／ＵＬ構成７を利用することにより、ＤＬ伝送の周波数利用効率を効果的に向上することが可能となる。また、ＤＬ伝送用のＤＬ／ＵＬ構成７を新たに定義することにより、ＴＤＤセルにおいてＤＬトラヒック及びＵＬトラヒックに応じた通信が可能となる。さらに、ＴＤＤセルにおいてＤＬ／ＵＬ構成７を用いた場合、ＴＤＤ特有のＵＬ−ＤＬ干渉が発生しないため、ネットワーク（ＮＷ）の同期や装置間（ユーザ端末−基地局間）協調を不要とすることも可能となる。
【００４０】
＜変形例＞
なお、上記第１の態様において、ＤＬ／ＵＬ構成７をサポート出来ない（識別できない）レガシー端末（例えば、Ｒｅｌ．１１以前のユーザ端末）を考慮して、無線通信方法（例えば、各ユーザ端末が適用するＤＬ／ＵＬ構成）を制御してもよい。
【００４１】
例えば、セカンダリセルとなるＴＤＤセルをＤＬ／ＵＬ構成７として準静的に運用しておき、トラフィック等に応じて無線基地局（又は、上位局等）が適宜ユーザ端末にＣＡを設定する場合を想定する。この場合、ＴＤＤセルをＤＬ／ＵＬ構成７として運用しておき、ユーザ端末に対しては、端末個別の無線リソース設定シグナリングにより、ＤＬ／ＵＬ構成７を含む任意のＤＬ／ＵＬ構成を通知する構成とすることができる。
【００４２】
例えば、複数のユーザ端末の中で、ＤＬ／ＵＬ構成７を識別できない端末（例えば、Ｒｅｌ．１１端末）が存在する可能性がある。このような場合であっても、上述したように端末個別の無線リソース設定シグナリングを用いることで、ＤＬ／ＵＬ構成７を識別できない端末に対しては、ＤＬ／ＵＬ構成７と異なるＤＬ／ＵＬ構成（例えば、ＤＬ／ＵＬ構成２やＤＬ／ＵＬ構成５）のセカンダリセルとして設定することができる。一方で、ＤＬ／ＵＬ構成７をサポートしている端末（すなわち、ＤＬ／ＵＬ構成７を識別できる端末（例えばＲｅｌ．１２以降の端末））に対しては、ＤＬ／ＵＬ構成７を設定すればよい。
【００４３】
このようにユーザ端末の能力に応じてＤＬ／ＵＬ構成を設定することで、ＤＬ／ＵＬ構成７対応端末に対してはＤＬ比率の高いＤＬ／ＵＬ構成７のセカンダリセルとして設定しつつも、ＤＬ／ＵＬ構成７に対応していない端末も当該ＴＤＤセルにセカンダリセルとして接続させることが可能となる。
【００４４】
また、ＤＬ／ＵＬ構成７をサポート出来ないユーザ端末が、ＤＬ／ＵＬ構成７として運用されるＴＤＤセルを、プライマリセル又はスタンドアローン（Ｓｔａｎｄ−ａｌｏｎｅ）で動作するセル（非ＣＡセル）として認識する場合が考えられる。この場合、ユーザ端末は、ＵＬサブフレームが設定されないＤＬ／ＵＬ構成７で上り信号の送信（例えば、上りランダムアクセス等）を試みるおそれがある。そこで、本実施の形態では、ＤＬ／ＵＬ構成７をサポート出来ないユーザ端末が、ＤＬ／ＵＬ構成７を利用するＴＤＤセルを、プライマリセル又は非ＣＡセルとして認識できない構成としてもよい。なお、Ｓｔａｎｄ−ａｌｏｎｅで動作するセルは、独立して（つまりＣＡのセカンダリセル（ＳＣｅｌｌ）でなくとも）ユーザ端末と初期接続が可能となるセルを指す。
【００４５】
例えば、ＤＬ／ＵＬ構成７として運用されるＴＤＤセルでは、システム情報ブロックの送信を行わない構成とすることができる。このＴＤＤセルはセカンダリセルとしてのみ設定され、プライマリセルもしくは非ＣＡセルとして用いることはない。セカンダリセルとして設定するセルのシステム情報は、プライマリセルによる無線リソース設定シグナリングを用いてユーザ端末個別にシグナリングすることができる。
【００４６】
したがって、ユーザ端末は、セカンダリセルが設定される際に、当該セカンダリセルにおいてシステム情報を受信する必要がない。一方、ユーザ端末が当該ＴＤＤセルに対してプライマリセルまたは非ＣＡセルとして接続を行う際には、当該セルにおいてシステム情報の受信が必須である。したがって、システム情報の送信を行わないことにより、ＤＬ／ＵＬ構成７を識別できない端末（例えば、Ｒｅｌ．１１端末）が当該ＴＤＤセルに対してプライマリセルまたは非ＣＡセルとして接続を試みる可能性を排除できる。これにより、ＤＬ／ＵＬ構成７を識別できない端末が当該ＴＤＤセルにおいて上り信号を送信することを抑制できる。
【００４７】
あるいは、ＤＬ／ＵＬ構成７として運用されるＴＤＤセルでは、システム情報ブロックにおいては、既存のＤＬ／ＵＬ構成（例えば、ＤＬ／ＵＬ構成５）という識別情報を送信していても良い。これにより、セル内にＤＬ／ＵＬ構成７を識別できないユーザ端末（例えば、Ｒｅｌ．１１端末）しかいない場合は既存のＤＬ／ＵＬ構成で運用されるプライマリセルまたは非ＣＡセルとして動作し、ＤＬ／ＵＬ構成７を識別できるユーザ端末がいる場合のみ、実際にＤＬ／ＵＬ構成７のセカンダリセルとして運用する構成とすることが可能となる。
【００４８】
また、当該ＴＤＤセルのシステム情報ブロックでは既存のＤＬ／ＵＬ構成（例えば、ＤＬ／ＵＬ構成５）を通知する情報を設定し、トラフィックやユーザ端末の分布に応じてＬ１／Ｌ２物理制御チャネル（ＰＤＣＣＨまたはＥＰＤＣＣＨ）やＭＡＣ制御要素により動的にＤＬ／ＵＬ構成の切り替えを指示しても良い。動的なＤＬ／ＵＬ構成切り替え有無は、あらかじめユーザ端末にユーザ個別の無線リソース設定シグナリングを用いて通知することができる。そして、システム情報で設定されたＤＬ／ＵＬ構成をベースとし、Ｌ１／Ｌ２物理制御チャネルやＭＡＣ制御要素のトリガによって、ＤＬ／ＵＬ構成を一時的に変更する。ユーザ端末は、上記トリガを検出したら、所定の時間または新たな指示を検出するまで、ＤＬ／ＵＬ構成を変更して通信を行う。これにより、ＴＤＤセルではユーザ端末分布やトラフィックに応じてＤＬ／ＵＬ構成を動的に変更することが可能となる。
【００４９】
（第２の態様）
第２の態様では、ＤＬ伝送用のＤＬ／ＵＬ構成７を適用する場合のＡ／Ｎフィードバックメカニズム（ＨＡＲＱメカニズム）について説明する。
【００５０】
上述したように、新たにＤＬ伝送用のＤＬ／ＵＬ構成７を定義して、セカンダリセルとなるＴＤＤセルで利用することにより、スループットの向上が可能となる。一方で、ＤＬ伝送用のＤＬ／ＵＬ構成７を適用する場合、ＵＬ伝送（Ａ／Ｎフィードバック等）を行うサブフレームが存在しないため、各ＤＬサブフレームに対するＡ／Ｎをどのようにフィードバックするかが問題となる。
【００５１】
例えば、第１のＴＤＤセルと第２のＴＤＤセルでｉｎｔｅｒ  ｂａｎｄ  ＣＡを行う場合、既存のメカニズムでは、各ＴＤＤセルのＤＬサブフレームはそれぞれ各セルのＵＬサブフレームを利用してフィードバックすることができる。しかし、上記図４Ａに示すＴＤＤ−ＴＤＤ  ＣＡにおいて、第２のＴＤＤセルでＤＬ／ＵＬ構成７を利用する場合、当該第２のＴＤＤセルのＤＬサブフレームに対するＵＬサブフレームが存在しないため、Ａ／ＮやＣＱＩ等のフィードバック等をどのように行うかが問題となる。
【００５２】
そこで、本実施の形態では、Ａ／Ｎ等のフィードバックを行う場合に、ＤＬ／ＵＬ構成７を利用するＴＤＤセルをＦＤＤセルとみなして、Ａ／Ｎ等のフィードバックを制御する（ＨＡＲＱメカニズムを適用する）。つまり、セカンダリセルとなるＴＤＤセルがＤＬ／ＵＬ構成７を適用する場合に、当該ＴＤＤセルをＦＤＤセルとみなして、当該ＴＤＤセルのＤＬサブフレームに対するＡ／Ｎ、ＣＱＩ等をプライマリセルの所定のＵＬサブフレームに多重する。
【００５３】
例えば、上記図４Ｂに示すように、ＦＤＤセルがプライマリセル、ＴＤＤセルがセカンダリセルに設定され、ＴＤＤセルでＤＬ／ＵＬ構成７を利用する場合を想定する。この場合、当該ＴＤＤセルをＦＤＤセルとみなし、ＦＤＤ−ＦＤＤ  ＣＡのＤＬ  ＨＡＲＱメカニズム（例えば、Ｒｅｌ．１０のＨＡＲＱメカニズム）を適用する（図６参照）。
【００５４】
例えば、ＣＡを適用するＣＣ（セル）数が２である場合、ＰＵＣＣＨフォーマット１ｂに基づくチャネルセレクションを利用して、ＴＤＤセルの各ＤＬサブフレームのＡ／ＮをＦＤＤセルの所定のＵＬサブフレームに多重することができる（図６参照）。また、ＣＡを適用するＣＣ（セル）数が３以下である場合、ＰＵＣＣＨフォーマット３を利用して、ＴＤＤセルの各ＤＬサブフレームのＡ／ＮをＦＤＤセルの所定のＵＬサブフレームに多重することができる。
【００５５】
このように、プライマリセルがＦＤＤセルの場合、ＤＬ／ＵＬ構成７が設定されるＴＤＤセルをＦＤＤセルとみなすことにより、プライマリセルとなるＦＤＤセルと、セカンダリセルとなるＦＤＤセルとによる２ＤＬ／１ＵＬ  ＣＡと同一とみなすことができる。この場合、Ｒｅｌ．１０で既に規定されているＦＤＤ−ＦＤＤ  ＣＡのメカニズムを利用してＡ／Ｎフィードバックを行うことができる。その結果、ＤＬ／ＵＬ構成７用に新規のＤＬ  ＨＡＲＱメカニズムの導入を不要とすることができる。したがって既存の端末・無線基地局装置構成でＣＡを実現することができ、コストの増加を抑えつつ最短の期間で実運用を行うことが可能となる。
【００５６】
また、上記図４Ａに示すように、第１のＴＤＤセルがプライマリセル、第２のＴＤＤセルがセカンダリセルに設定され、第２のＴＤＤセルでＤＬ／ＵＬ構成７を利用する場合を想定する。この場合、第２のＴＤＤセルをＦＤＤセルとみなし、２ＤＬ／１ＵＬのＴＤＤ−ＦＤＤ  ＣＡのＤＬ  ＨＡＲＱメカニズム（例えば、Ｒｅｌ．１２で規定されるＨＡＲＱメカニズム）を適用する（図７参照）。
【００５７】
図７では、ＴＤＤ−ＦＤＤ  ＣＡ（ＴＤＤセルがＰＣｅｌｌ）において、ＴＤＤセル（第１のＴＤＤセル）のＵＬサブフレームに対してＦＤＤセル（第２のＴＤＤセル）の全てのＤＬサブフレームに対するＡ／Ｎの割当てが可能となるフィードバックメカニズムを示している。具体的に、図７では、ＰＣｅｌｌとなる第１のＴＤＤセル（ＰＣｅｌｌ）がＤＬ／ＵＬ構成２のＡ／Ｎフィードバックタイミングを適用する。また、ＳＣｅｌｌとなる第２のＴＤＤセルがＤＬ／ＵＬ構成２をベース（基準）として、第１のＴＤＤのＵＬサブフレームに対して、第２のＴＤＤセルの全てのＤＬサブフレームにおけるＡ／Ｎの割当てを行う（ＤＬ／ＵＬ構成２＋α）。
【００５８】
つまり、ＤＬ／ＵＬ構成２において通常ＵＬが設定されるサブフレーム（第２のＴＤＤセルのＳＦ＃２、＃７）に対してもＡ／Ｎフィードバックを行うことができる。なお、当該サブフレーム（ＳＦ＃２、＃７）のＡ／Ｎのフィードバック先としては、例えば、隣接サブフレームと同じフィードバック先とすることができる。なお、図７では、ＦＤＤセルとみなす第２のＴＤＤセルのＡ／Ｎフィードバックタイミングとして、ＤＬ／ＵＬ構成２をベースとして利用する場合を示しているが、本実施の形態はこれに限られない。第２のＴＤＤセルの全てのＤＬサブフレームにおけるＡ／Ｎの割当てが可能となるフィードバックメカニズムであれば適用可能である。
【００５９】
なお、本実施の形態で適用可能なＨＡＲＱメカニズムは、図７に限られず、ＴＤＤ−ＦＤＤ  ＣＡで適用されるＨＡＲＱメカニズムであれば利用することができる。
【００６０】
また、ＣＣ数やＰＣｅｌｌのＤＬ／ＵＬ構成等によっては、ＰＣｅｌｌの１ＵＬサブフレームでフィードバックするＡ／Ｎビット数が既存のＰＵＣＣＨフォーマット（ＰＵＣＣＨフォーマット１ｂに基づくチャネルセレクション、ＰＵＣＣＨフォーマット３）で多重可能な値より大きくなる場合も考えられる。かかる場合、ＳＣｅｌｌの所定ＤＬサブフレームに対するＡ／Ｎフィードバックを制限して対応することができる。あるいは、ＳＣｅｌｌの所定ＤＬサブフレームに対するＡ／ＮにＡ／Ｎバンドリングを適用して対応することができる。
【００６１】
このように、プライマリセルがＴＤＤセルの場合、ＤＬ／ＵＬ構成７が設定されるセカンダリセルのＴＤＤセルをＦＤＤセルとみなすことにより、プライマリセルとなるＴＤＤセルと、セカンダリセルとなるＦＤＤセルとによる２ＤＬ／１ＵＬ  ＣＡと同一とみなすことができる。この場合、Ｒｅｌ．１２で検討されているＴＤＤ−ＦＤＤ  ＣＡのメカニズムを利用してＡ／Ｎフィードバックを行うことができる。その結果、ＤＬ／ＵＬ構成７用に新規のＤＬ  ＨＡＲＱメカニズムの導入を不要とすることができる。
【００６２】
＜ＵＬ  ＨＡＲＱ＞
また、セカンダリセルとなるＴＤＤセルで当該ＤＬ／ＵＬ構成７を利用する場合、キャリアアグリゲーションにおいてＵＬの再送制御（ＵＬ  ＨＡＲＱ）をどのように行うかが問題となる。例えば、上記図４Ｂに示すように、ＦＤＤセルがプライマリセル、ＴＤＤセルがセカンダリセルに設定され、ＴＤＤセルでＤＬ／ＵＬ構成７を利用する場合を想定する。この場合、無線基地局から通知されるＰＨＩＣＨ（Physical  Hybrid-ARQ  Indicator  Channel）に対して、ＰＵＳＣＨの再送制御をどのように制御するかが問題となる。
【００６３】
本実施の形態では、セカンダリセルのＴＤＤセル（ＤＬ／ＵＬ構成７）をＦＤＤセルとみなし、キャリアアグリゲーションにおけるＵＬの再送制御を行う。例えば、ユーザ端末が、第ｎサブフレームで通知されるＰＨＩＣＨ（例えば、ＮＡＣＫ）に対する再送信を行う場合を想定する。なお、ＰＨＩＣＨで通知されるＡ／Ｎは、第ｎサブフレームより前のサブフレーム（例えば、第ｎ−４サブフレーム）の上りリンク信号（ＰＵＳＣＨ信号）に対するＡ／Ｎに相当する。ユーザ端末は、通知されたＰＨＩＣＨに基づいて、所定のサブフレーム（例えば、第ｎ＋４サブフレーム）において、プライマリセルとなるＦＤＤのＵＬサブフレームを用いて、第ｎサブフレームで通知されたＰＨＩＣＨに対する再送信を行う。なお、ＰＨＩＣＨは、プライマリセルからユーザ端末に通知することができる。
【００６４】
このように、ＴＤＤ−ＦＤＤ  ＣＡにおいてプライマリセルがＦＤＤセルの場合、ＤＬ／ＵＬ構成７が設定されるＴＤＤセルをＦＤＤセルとみなすことにより、プライマリセルとなるＦＤＤセルと、セカンダリセルとなるＦＤＤセルとによる２ＤＬ／１ＵＬ  ＣＡと同一とみなすことができる。この場合、Ｒｅｌ．１０で既に規定されているＦＤＤ−ＦＤＤ  ＣＡのメカニズムを利用してＵＬ  ＨＡＲＱを制御することができる。その結果、ＤＬ／ＵＬ構成７用に新規のＵＬ  ＨＡＲＱメカニズムの導入を不要とすることができる。したがって既存の端末・無線基地局装置構成でＣＡを実現することができ、コストの増加を抑えつつ最短の期間で実運用を行うことが可能となる。
【００６５】
また、本実施の形態では、セカンダリセルのＴＤＤセル（ＤＬ／ＵＬ構成７）を既存のＴＤＤセル（例えば、ＤＬ／ＵＬ構成５）とみなし、キャリアアグリゲーションにおけるＵＬの再送制御を適用しても良い。例えば、ユーザ端末が、第ｎサブフレームで通知されるＰＨＩＣＨ（例えば、ＮＡＣＫ）に対する再送信を行う場合を想定する。なお、ＰＨＩＣＨで通知されるＡ／Ｎは、第ｎサブフレームより前のサブフレーム（例えば、第ｎ−６サブフレーム）の上りリンク信号（ＰＵＳＣＨ信号）に対するＡ／Ｎに相当する。ユーザ端末は、通知されたＰＨＩＣＨに基づいて、所定のサブフレーム（例えば、第ｎ＋４サブフレーム）において、プライマリセルとなるＦＤＤのＵＬサブフレームを用いて、第ｎサブフレームで通知されたＰＨＩＣＨに対する再送信を行う。なお、上記の例においては、上りリンク信号を送信できるサブフレームが１つしか存在しないため、ＰＨＩＣＨを送信できるセカンダリセルの下りサブフレームも１つしか存在しない。したがって、これ以外の下りサブフレームに対応する上り信号（例えば、プライマリセルの上り信号）を再送させる場合は、ＰＨＩＣＨではなくＰＤＣＣＨやＥＰＤＣＣＨを用いて行うことが考えられる。なお、ＰＨＩＣＨは、プライマリセルからユーザ端末に通知することができる。
【００６６】
このように、ＴＤＤ−ＦＤＤ  ＣＡにおいてプライマリセルがＦＤＤセルの場合、ＤＬ／ＵＬ構成７を設定しているＴＤＤセルにＤＬ／ＵＬ構成５と同一のＵＬの再送制御を適用することで、ＤＬ／ＵＬ構成５と同一の下りサブフレームにＰＨＩＣＨが送信されることになる。これにより、ＤＬ／ＵＬ構成７をサポートしていないユーザ端末（例えば、Ｒｅｌ．１１以前のＵＥ）であって、ＤＬ／ＵＬ構成５を設定されたユーザ端末も適切にサポートすることができる。これは、下りサブフレームにおいてＰＨＩＣＨの有無によってＰＤＣＣＨのマッピング法が異なるためである。
【００６７】
（第３の態様）
上述したように、全てのサブフレームでＤＬ伝送が可能となるＤＬ伝送用のＤＬ／ＵＬ構成（ＤＬ／ＵＬ構成７）では、ＵＬサブフレームが存在しない。そのため、ＤＬ／ＵＬ構成７を利用する場合には、既存のＤＬ／ＵＬ構成０〜６とは異なる動作を規定することができる。以下に、ＤＬ／ＵＬ構成７を適用する場合の動作の一例について説明する。
【００６８】
＜制御チャネルフォーマットインディケーター＞
制御チャネルフォーマットインディケーター（ＰＣＦＩＣＨ：Physical  Control  Format  Indicator  Channel）は、サブフレームにおいて下り制御チャネル（ＰＤＣＣＨ）に利用されるシンボル数に関する情報を通知する。例えば、ＴＤＤにおいて、既存のＤＬ／ＵＬ構成０〜６を利用する場合、下りリンクに利用するリソースブロック（ＲＢ）数（ＮDLRB）に応じて、サブフレーム１、６においては、ＰＤＣＣＨ用のＯＦＤＭシンボル数が２以下に制限される（図１３参照）。
【００６９】
例えば、ＮDLRB＞１０の場合には、ＰＤＣＣＨ用のＯＦＤＭシンボル数が１又は２に設定され、ＮDLRB≦１０の場合には、ＰＤＣＣＨ用のＯＦＤＭシンボル数が２に設定される。これは、既存のＴＤＤのＤＬ／ＵＬ構成では、サブフレーム１、６において特殊サブフレームが設定される（サブフレーム６では一部のＤＬ／ＵＬ構成に特殊サブフレームが設定）ため、ＤＬ伝送用（ＤｗＰＴＳ）に利用できるシンボル数が通常のＤＬサブフレームと比較して少ないためである。
【００７０】
一方で、上記図３に示すように、ＵＬサブフレーム及び特殊サブフレームが設定されないＤＬ／ＵＬ構成７を利用する場合には、サブフレーム１、６においてＤＬ伝送用のシンボル数は制限されない。このため、ＤＬ／ＵＬ構成７を利用する場合には、ＤＬ／ＵＬ構成０〜６とは異なり、サブフレーム１、６におけるＰＤＣＣＨ用のＯＦＤＭシンボル数を２以下に制限せずに規定することができる（図１３参照）。例えば、ＤＬ／ＵＬ構成７を利用する場合、ＲＢ数＞１０であればＰＤＣＣＨ用のＯＦＤＭシンボル数を１、２又は３とし、ＲＢ数≦１０であればＰＤＣＣＨ用のＯＦＤＭシンボル数を２、３又は４とすることができる。
【００７１】
このように、ＤＬ／ＵＬ構成７を適用する場合、サブフレーム１、６においてＰＤＣＣＨに利用するＯＦＤＭシンボル数をＤＬ／ＵＬ構成０〜６を適用する場合と異なって設定できる構成とする。これにより、ＴＤＤにおいて、ＤＬ／ＵＬ構成７を適用する場合、ＤＬ／ＵＬ構成に応じて、ＰＣＦＩＣＨ（ＰＤＣＣＨに利用するＯＦＤＭシンボル数）を柔軟に制御することができる。
【００７２】
＜ＣＳＩ−ＲＳマッピング＞
ＣＳＩ−ＲＳは、下りリンクのチャネル状態を推定するための参照信号である。ＴＤＤにおいて、既存のＤＬ／ＵＬ構成０〜６を利用する場合、ユーザ端末は、特殊サブフレームにＣＳＩ−ＲＳが送信されないと仮定して動作する。これは、特殊サブフレームでは、ＤＬ伝送用（ＤｗＰＴＳ）に利用できるシンボル数が通常のＤＬサブフレームと比較して少ないためである。
【００７３】
一方、上記図３に示すＤＬ／ＵＬ構成７を利用する場合には、特殊サブフレームが設定されない。そこで、本実施の形態では、ユーザ端末は、ＴＤＤのＤＬ／ＵＬ構成７を除いたＤＬ／ＵＬ構成０〜６を利用する場合に、特殊サブフレームにＣＳＩ−ＲＳが送信されないと仮定して受信動作を行う。つまり、ＴＤＤを適用するユーザ端末は、ＤＬ／ＵＬ構成０〜６における特殊サブフレームにおいてＣＳＩ−ＲＳが設定されないと仮定し、ＤＬ／ＵＬ構成７ではＣＳＩ−ＲＳの送信制限を仮定せずに受信動作を行うことができる。
【００７４】
＜非周期ＣＳＩフィードバック＞
ＦＤＤを適用するユーザ端末は、下り制御チャネル（ＰＤＣＣＨ／ＥＰＤＣＣＨ）に、非周期ＣＳＩ報告（aperiodic  CSI  report）をトリガするためのＣＳＩ要求フィールドが含まれている場合、所定サブフレーム後にＰＵＳＣＨを利用して報告する。例えば、第ｎサブフレームで受信した下り制御チャネルに非周期ＣＳＩ報告のトリガ情報が含まれている場合、第ｎ＋４サブフレームのＰＵＳＣＨで非周期ＣＳＩをフィードバックする。
【００７５】
上述したように、ＤＬ／ＵＬ構成７はＵＬサブフレームが存在しないため、当該ＤＬ／ＵＬ構成７を利用するユーザ端末は、非周期ＣＳＩ報告をどのように行うか問題となる。そこで、本実施の形態では、ＤＬ／ＵＬ構成７を適用するユーザ端末が、ＦＤＤを適用するユーザ端末と同様に非周期ＣＳＩのフィードバックを制御する構成とすることができる。
【００７６】
例えば、上記図４Ｂに示すように、ＦＤＤセルがプライマリセル、ＴＤＤセルがセカンダリセルに設定され、ＴＤＤセルでＤＬ／ＵＬ構成７を利用する場合を想定する。この場合、第ｎサブフレームで受信した下り制御チャネルに非周期ＣＳＩ報告のトリガ情報が含まれている場合、ユーザ端末は、プライマリセル（ＦＤＤセル）の第ｎ＋４サブフレームのＰＵＳＣＨで非周期ＣＳＩをフィードバックする。
【００７７】
＜ＨＡＲＱ−ＡＣＫ繰り返し動作＞
無線基地局は、ユーザ端末に対して、上位レイヤシグナリングを用いて、ＨＡＲＱ−ＡＣＫ繰り返し（HARQ-ACK  repetition）動作を設定することができる。ＨＡＲＱ−ＡＣＫ繰り返し動作を設定されたユーザ端末は、所定パラメータでＡ／Ｎの送信を繰り返し行う。既存のシステムでは、ＨＡＲＱ−ＡＣＫ繰り返しは、サービングセル（ＦＤＤセル又はＴＤＤセル）が１つ設定されるユーザ端末にのみ許容されていた。さらに、ＴＤＤにおいては、Ａ／Ｎバンドリングを行う場合のみ許容されていた。これはバンドリングにより劣化したＡ／Ｎの受信品質を改善して、カバレッジを確保するためである。
【００７８】
一方で、ＤＬ／ＵＬ構成７を利用する場合には、ＵＬサブフレームが存在せずＦＤＤのＤＬと似た構成となる。このため、ＴＤＤであってもＤＬ／ＵＬ構成７を利用する場合には、Ａ／Ｎバンドリングを行う場合に限らずＨＡＲＱ−ＡＣＫ繰り返しをサポートする構成とすることができる。これにより、Ａ／Ｎの受信品質を改善することができる。
【００７９】
（無線通信システムの構成）
以下、本実施の形態に係る無線通信システムの一例について、詳細に説明する。
【００８０】
図８は、本実施の形態に係る無線通信システムの概略構成図である。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）が適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【００８１】
図８に示す無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方に接続すること（dual  connectivity）ができる。また、無線基地局１１と無線基地局１２間で基地局内ＣＡ（Ｉｎｔｒａ−ｅＮＢ  ＣＡ）、又は基地局間ＣＡ（Ｉｎｔｅｒ−ｅＮＢ  ＣＡ）が適用される。また、無線基地局１１と無線基地局１２間のＣＡとしては、ＴＤＤ−ＴＤＤ  ＣＡ又はＴＤＤ−ＦＤＤ  ＣＡ等を適用することができる。
【００８２】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信を行うことができる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インターフェース等）又は無線接続されている。
【００８３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００８４】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００８５】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【００８６】
ここで、図８に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【００８７】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（ＣＱＩ：Channel  Quality  Indicator）、ＡＣＫ／ＮＡＣＫ等が伝送される。
【００８８】
図９は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００８９】
下りリンクにより無線基地局１０からユーザ端末２０に送信されるユーザデータは、上位局装置３０から伝送路インターフェース１０６を介してベースバンド信号処理部１０４に入力される。
【００９０】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００９１】
また、ベースバンド信号処理部１０４は、上位レイヤシグナリング（ＲＲＣシグナリング、報知信号等）により、ユーザ端末２０に対して、当該セルにおける通信のための制御情報を通知する。当該セルにおける通信のための情報には、例えば、ＴＤＤセルで利用するＤＬ／ＵＬ構成に関する情報、上りリンク又は下りリンクにおけるシステム帯域幅、フィードバック用のリソース情報等が含まれる。各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。送受信部１０３は、ＴＤＤセルで利用するＤＬ／ＵＬ構成に関する情報を上位レイヤシグナリング（報知信号、ＲＲＣシグナリング等）で送信する送信部として機能する。
【００９２】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００９３】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００９４】
図１０は、本実施の形態に係る無線基地局１０が有するベースバンド信号処理部１０４の主な機能構成図である。図１０に示すように、無線基地局１０が有するベースバンド信号処理部１０４は、制御部３０１と、ＤＬ信号生成部３０２と、ＤＬ／ＵＬ構成選択部３０３と、マッピング部３０４と、ＵＬ信号復号部３０５と、判定部３０６と、を少なくとも含んで構成されている。
【００９５】
制御部３０１は、ＰＤＳＣＨで送信される下りユーザデータ、ＰＤＣＣＨ及び／又は拡張ＰＤＣＣＨ（ＥＰＤＣＣＨ）で伝送される下り制御情報、下り参照信号等のスケジューリングを制御する。また、制御部３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上りリンク信号（上り制御信号、上りユーザデータ）の割当て制御に関する情報は、下り制御信号（ＤＣＩ）を用いてユーザ端末に通知される。
【００９６】
具体的に、制御部３０１は、上位局装置３０からの指示情報や各ユーザ端末２０からのフィードバック情報に基づいて、下りリンク信号及び上りリンク信号に対する無線リソースの割り当てを制御する。つまり、制御部３０１は、スケジューラとしての機能を有している。また、無線基地局１０がＴＤＤを利用する場合には、ＴＤＤに利用するＤＬ／ＵＬ構成選択部３０３で選択されたＤＬ／ＵＬ構成に基づいて、各サブフレームに対する下りリンク信号及び上りリンク信号の割り当てを制御する。
【００９７】
例えば、制御部３０１は、セカンダリセルとなるＴＤＤセルにおいてＤＬ／ＵＬ構成７が設定される場合、ユーザ端末に対して、全てのサブフレームでＤＬ伝送を行う。また、Ｉｎｔｅｒ−ｅＮＢ  ＣＡでは、制御部３０１は複数ＣＣ毎に独立に設けられており、Ｉｎｔｒａ−ｅＮＢ  ＣＡでは、制御部３０１は複数ＣＣに対して共通に設けた構成とすることができる。
【００９８】
ＤＬ信号生成部３０２は、制御部３０１により割当てが決定された下り制御信号（ＰＤＣＣＨ信号及び／又はＥＰＤＣＣＨ信号）や下りデータ信号（ＰＤＳＣＨ信号）を生成する。具体的に、ＤＬ信号生成部３０２は、制御部３０１からの指示に基づいて、下りリンク信号の割当て情報を通知するＤＬ割当て（ＤＬ  ａｓｓｉｇｎｍｅｎｔ）と、上りリンク信号の割当て情報を通知するＵＬグラント（ＵＬ  ｇｒａｎｔ）を生成する。また、ＤＬ信号生成部３０２は、ＤＬ／ＵＬ構成選択部３０３で選択されたＤＬ／ＵＬ構成に関する情報を生成する。
【００９９】
ＤＬ／ＵＬ構成選択部３０３は、トラヒック等を考慮してＴＤＤで利用するＤＬ／ＵＬ構成を選択する。本実施の形態では、ＴＤＤセルにおいて、ＤＬ伝送用のＤＬ／ＵＬ構成（例えば、ＤＬ／ＵＬ構成７）が新たに追加して定義される（上記図３、図５等参照）。ＤＬ／ＵＬ構成選択部３０３は、当該ＴＤＤセルがセカンダリセル（ＳＣｅｌｌ）である場合に限ってＤＬ／ＵＬ構成７を選択することが可能となる。例えば、ＤＬ／ＵＬ構成選択部３０３は、ＴＤＤセルがセカンダリセルに設定され、ユーザ端末に対するＤＬデータ量が大きい場合に、複数のＤＬ／ＵＬ構成０〜７の中から、ＤＬ／ＵＬ構成７を選択する。なお、ＤＬ／ＵＬ構成選択部３０３は、上位局装置３０等からの情報に基づいてＤＬ／ＵＬ構成を選択することができる。
【０１００】
マッピング部３０４は、制御部３０１からの指示に基づいて、ＤＬ信号生成部３０２で生成された下り制御信号と下りデータ信号の無線リソースへの割当てを制御する。
【０１０１】
ＵＬ信号復号部３０５は、上り制御チャネル（ＰＵＣＣＨ）でユーザ端末から送信されたフィードバック信号（送達確認信号等）を復号し、制御部３０１へ出力する。また、ＵＬ信号復号部３０５は、上り共有チャネル（ＰＵＳＣＨ）でユーザ端末から送信された上りデータ信号を復号し、判定部３０６へ出力する。判定部３０６は、ＵＬ信号復号部３０５の復号結果に基づいて、再送制御判定（ＡＣＫ／ＮＡＣＫ）を行うと共に結果を制御部３０１に出力する。
【０１０２】
図１１は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【０１０３】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。送受信部２０３は、ユーザ端末２０がＴＤＤセルと接続する場合に、複数のＤＬ／ＵＬ構成の中から選択された所定のＤＬ／ＵＬ構成に関する情報を受信する受信部として機能する。
【０１０４】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１０５】
図１２は、ユーザ端末２０が有するベースバンド信号処理部２０４の主な機能構成図である。図１２に示すように、ユーザ端末２０が有するベースバンド信号処理部２０４は、ＤＬ信号復号部４０１と、ＤＬ／ＵＬ構成判断部４０２と、判定部４０３と、制御部４０４と、ＵＬ信号生成部４０５と、マッピング部４０６と、を少なくとも含んで構成されている。
【０１０６】
ＤＬ信号復号部４０１は、下り制御チャネル（ＰＤＣＣＨ）で送信された下り制御信号（ＰＤＣＣＨ信号）を復号し、スケジューリング情報（上りリソースへの割当て情報）を制御部４０４へ出力する。また、ＤＬ信号復号部４０１は、下り共有チャネル（ＰＤＳＣＨ）で送信された下りデータ信号を復号し、判定部４０３へ出力する。判定部４０３は、ＤＬ信号復号部４０１の復号結果に基づいて、再送制御判定（ＡＣＫ／ＮＡＣＫ）を行うと共に結果を制御部４０４に出力する。
【０１０７】
ＤＬ／ＵＬ構成判断部４０２は、無線基地局から通知されるＤＬ／ＵＬ構成に関する情報を判断する。ＤＬ／ＵＬ構成判断部４０２は、検出したＤＬ／ＵＬ構成に関する情報を制御部４０４等に出力する。なお、本実施の形態では、ユーザ端末がセカンダリセルとなるＴＤＤセルに接続する場合に限って、ＤＬ／ＵＬ構成判断部４０２が上記ＤＬ／ＵＬ構成７を検出する。
【０１０８】
制御部４０４は、無線基地局から送信された下り制御信号（ＰＤＣＣＨ信号）や、受信したＰＤＳＣＨ信号に対する再送制御判定結果に基づいて、上り制御信号（フィードバック信号）や上りデータ信号の生成を制御する。下り制御信号はＤＬ信号復号部４０１から出力され、再送制御判定結果は、判定部４０３から出力される。
【０１０９】
また、制御部４０４は、ＤＬ／ＵＬ構成判断部４０２から出力されるＤＬ／ＵＬ構成に関する情報に基づいて、上り制御信号や上りデータ信号の送信を制御する。ＤＬ／ＵＬ構成としては、上記図３、図５に示したＤＬ／ＵＬ構成０〜７のいずれかを利用する。なお、ＤＬ／ＵＬ構成７については、接続したＴＤＤセルがセカンダリセルである場合に限って利用することとなる。
【０１１０】
また、制御部４０４は、ＰＤＳＣＨ信号に対する送達確認信号（Ａ／Ｎ）のフィードバックを制御するフィードバック制御部としても機能する。具体的に、制御部４０４は、ＣＡが適用される通信システムにおいて、Ａ／Ｎをフィードバックするセル（又は、ＣＣ）や、Ａ／Ｎを割当てるＰＵＣＣＨリソースの選択を制御する。
【０１１１】
例えば、プライマリセルがＦＤＤセル、セカンダリセルがＴＤＤセルであり、当該ＴＤＤセルにおいてＤＬ／ＵＬ構成７が設定される場合、制御部４０４は、ＴＤＤセルをＦＤＤセルとみなして、ＦＤＤセル−ＦＤＤセルのＣＡにおけるＡ／Ｎフィードバックメカニズムを適用することができる（上記図６参照）。この場合、制御部４０４は、ＴＤＤセルの各ＤＬサブフレームに対するＡ／Ｎを、ＦＤＤセルの所定のＵＬサブフレームを用いてフィードバックする。
【０１１２】
また、プライマリセル及びセカンダリセルがＴＤＤセルであり、セカンダリセルとなるＴＤＤセルにおいてＤＬ／ＵＬ構成７が設定される場合、制御部４０４は、セカンダリセルとなるＴＤＤセルをＦＤＤセルとみなして、ＴＤＤセル−ＦＤＤセルのＣＡにおけるＡ／Ｎフィードバックメカニズムを適用することができる（上記図７参照）。この場合、制御部４０４は、プライマリセルのＵＬサブフレームに対して、セカンダリセルとなるＴＤＤセルの全てのＤＬサブフレームに対するＡ／Ｎの割当てが可能となるように、Ａ／Ｎフィードバックを制御する。
【０１１３】
ＵＬ信号生成部４０５は、制御部４０４からの指示に基づいて上り制御信号（送達確認信号やチャネル状態情報（ＣＳＩ）等のフィードバック信号）を生成する。また、ＵＬ信号生成部４０５は、制御部４０４からの指示に基づいて上りデータ信号を生成する。なお、ＤＬ／ＵＬ構成７が設定される場合、ＵＬ信号生成部４０５は、上りデータ信号の生成は行わずに、ＤＬ信号に対する上り制御信号を生成する。
【０１１４】
マッピング部４０６（割当て部）は、制御部４０４からの指示に基づいて、上り制御信号（送達確認信号等）と上りデータ信号の無線リソース（ＰＵＣＣＨ、ＰＵＳＣＨ）への割当てを制御する。例えば、マッピング部４０６は、上り制御信号に対して、ＣＣ数に基づいてＰＵＣＣＨフォーマット１ｂに基づくチャネルセレクション、ＰＵＣＣＨフォーマット３等を利用した割当てを行う。
【０１１５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。例えば、上述した複数の態様を適宜組み合わせて適用することができる。従って、本明細書の記載は、例示説明を目的とするものであり、本発明に対して何ら制限的な意味を有するものではない。
【符号の説明】
【０１１６】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…制御部
３０２…ＤＬ信号生成部
３０３…ＤＬ／ＵＬ構成選択部
３０４…マッピング部
３０５…ＵＬ信号復号部
３０６…判定部
４０１…ＤＬ信号復号部
４０２…ＤＬ／ＵＬ構成判断部
４０３…判定部
４０４…制御部（フィードバック制御部）
４０５…ＵＬ信号生成部
４０６…マッピング部
【図１】
2019068460.tif 000003
【図２】
2019068460.tif 000004
【図３】
2019068460.tif 000005
【図４】
2019068460.tif 000006
【図５】
2019068460.tif 000007
【図６】
2019068460.tif 000008
【図７】
2019068460.tif 000009
【図８】
2019068460.tif 000010
【図９】
2019068460.tif 000011
【図１０】
2019068460.tif 000012
【図１１】
2019068460.tif 000013
【図１２】
2019068460.tif 000014
【図１３】
2019068460.tif 000015